(57)【要約】  【課題】  支持脚を有して載置個所の焼損を防止できると共に、蝋燭を立てた場合にも高い安定性を確保して不用意な転倒を確実に防止可能とする新たな技術を付与した燭台を提供する。  【解決手段】  円形または正多角形の肉厚平面板２１の全周縁に亘って所定同一高さの鉛直縁２２を立ち上げた所定外径Ｄの受け皿２を有し、その重心周り１２０°（角度θ）毎の均衡する底面合計３個所から、合計３本の支持脚３，３，３を、遠心斜め下方に向けて延伸し、同受け皿２外径Ｄを超えた同一仮想円周位置に接地するものとし、受け皿２上面を水平に、鉛直縁２２上端までの全高ＡＨを、受け皿外径Ｄの０．４ないし０．７倍となる高さに規制するよう一体に形成した上、同受け皿２重心上に所定長の芯釘４を鉛直状に立設し、それら全体が比重７．０を超える金属製部品の組み合わせからなる三脚燭台１である。【選択図】    図３
0003137909.tif 000002
【実用新案登録請求の範囲】
【請求項１】
円形または正多角形の肉厚平面板の全周縁に亘って所定同一高さの鉛直縁を一体に立ち上げ形成した所定外径Ｄの受け皿を有し、該受け皿重心周り１２０°（角度θ）毎の均衡する底面合計３個所から、互いに同一形状および同一寸法に設定した合計３本の支持脚を、遠心斜め下方に向けて延伸し、同受け皿外径Ｄを超えた同一仮想円周位置に達して接地するものとして、受け皿肉厚平面板上面を水平に、且つ鉛直縁上端までの全高ＡＨを、受け皿外径Ｄの０．４ないし０．７倍となる高さに保持するよう規制したものとして一体に形成した上、同受け皿肉厚平面板重心上に一致する上面位置に所定長の芯釘を鉛直状に立設、固定し、それら全体が比重７．０を超える金属製部品の組み合わせからなるものとしたことを特徴とする三脚燭台。
【請求項２】
円形または正多角形で厚さ５ないし１０ｍｍとした肉厚平面板の全周縁に亘って所定同一高さの鉛直縁を一体に立ち上げ形成し、外径寸法Ｄを７０ないし１３０ｍｍに設定した受け皿を有し、該受け皿重心周り１２０°（角度θ）毎の均衡する底面合計３個所から、互いに同一形状および同一寸法に設定した合計３本の支持脚を、遠心斜め下方に向けて延伸し、同受け皿外径Ｄより１５ないし２５ｍｍ外周がわとなる同一仮想円周位置に達して接地するものとして、受け皿肉厚平面板上面を水平に、且つ支持脚下端から鉛直縁上端までの全高ＡＨを、受け皿外径Ｄの０．４ないし０．７倍となる高さに保持するよう規制したものとして一体に形成した上、同受け皿肉厚平面板重心上に一致する上面中央に所定長の芯釘を鉛直状に立設、固定し、それら全体が比重７．０を超える金属製部品の組み合わせからなるものとしたことを特徴とする三脚燭台。
【請求項３】
受け皿重心を中心とし、３本の支持脚の接地端を結ぶ円の直径ＬＤが、受け皿外径Ｄの１．２ないし２．０倍に設定されたものとして、受け皿外径Ｄが７０ｍｍに近いもの程ＬＤ／Ｄの比率を２．０に近づけ、受け皿外径Ｄが１３０ｍｍに近いもの程ＬＤ／Ｄの比率を１．２に近づけるよう設定してなるものとした、請求項１または２何れか一項記載の三脚燭台。                                                                                          
【考案の詳細な説明】
【技術分野】
【０００１】
この考案は、神棚、仏壇、祭壇および墓石などに蝋燭を供えるのに利用するものとして、または、日常の生活や停電、災害のときに蝋燭を灯すのに利用可能な燭台に関するものであり、特に縦長の蝋燭を固定、支持する燭台を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                  
【背景技術】
【０００２】
（着目点）
神棚や仏壇の奉拝に欠くことのできない蝋燭は、様々なデザインや装飾が施された金属製、木製またはガラス製などの燭台に立てて供えられるのが一般的となっていて、その基本的な構造としては、例えば特開２００５−１０８５０２号公報に開示された「仏具」発明のように、受け皿上面中央に蝋燭下端穴に差し込まれる芯釘を立設したものや、実開平７−１９９１１号公報の「陶磁製燭台」に示されたもののように、碗形の陶磁製主体の内底面に蝋燭を立てる座面を形成するとともに外底面に脚を突成してなる構成としたものなどのように、皿形や椀形の器中央に蝋燭を直立、固定状に支持するものであり、熱伝導率の低い素材を選択し、また、底部に器自体を僅かに、あるいは所定高さに浮かせて支持する支持脚を形成するようにして、短くなった蝋燭の熱が底面下より直接支持面に伝わるのを阻止することにより、燭台を載置、支持する神棚、仏壇、祭壇などに焼損を与えてしまわないようにした構造、デザインのものが殆どで、必ずしも安定性の点まで十分な配慮がなされているとは限らなかった。
【０００３】
（従来の技術）
こうした観点から、市場に広く普及して多方面で盛んに利用されている燭台を見直してみるに、神棚や仏壇など燭台の載置個所への焼損を防止することを主眼として、前記実開平７−１９９１１号公報の「陶磁製燭台」のように支持脚を設けるようにした燭台は、その他従前までのものの一例である特開２０００−１４９６５６号公報の「燭台」発明に開示されたものにも同様に云えることであるが、燭台に対して蝋燭を確実に固定できる構造としている反面、蝋燭を立てたときに燭台を含めた全体的重心位置が高くなって燭台諸共、比較的簡単に転倒してしまう虞があるという欠点を有していることが判明し、日常的な照明手段でなくなったことにも原因してその取り扱いが不慣れとなっている現代人が、古来からの伝統行事を執り行う際などに蝋燭を灯す必要があるとき、それが正常な姿勢を保ち続ける間は、その支持面に熱が伝わって被る焼損を確かに回避できるものの、不慣れな取り扱いなどから支持面などの具合まで配慮が足りず、その結果、誰も気付かぬ中に転倒してしまう事態を生じさせて取り返しのつかない事故に繋がることも懸念されるが、そうした不慣れな現代人を想定した新たな構造の燭台は、これまでのところでは見受けられないのが実情であった。                                                                                          
【特許文献１】（１）特開２００５−１０８５０２号公報    （２）実開平７−１９９１１号公報    （３）特開２０００−１４９６５６号公報
【考案の開示】
【考案が解決しようとする課題】
【０００４】
（問題意識）
上述したとおり、従前までに提案のある各種の燭台は、載置場所に焼損を与えぬよう熱伝導率の低い素材製の受け皿を採用して、蝋燭を受け皿上に確実に直立支持できるものとし、または、支持脚を設けて直接受け皿容器の底面を配置個所に接地させない構造を採用するなど様々な工夫が施されてきてはいるものの、支持脚を設けた燭台は、何れも蝋燭を立てた場合にその重心位置が高くなり、普段から不慣れな現代人一般にとって、不慣れな故にそのことに気付かぬままに不用意な設置をしてしまうこととなり、僅かな振動や周囲移動物の接触などによって簡単に横転してしまう事態を惹起し兼ねないという欠点を有しており、今後において益々その傾向は強まって、伝統行事等灯明を立てる機会は今後も引き継がれていくものの、取り扱い不如意な現代人の増加していくことが必至であることを考慮するならば、こうした事態の変化に相応しい構造を兼ね備えた燭台の必要性は見逃す訳にはいかないと云える。
【０００５】
（考案の目的）
そこで、この考案は、支持脚を有して載置個所の焼損を防止できると共に、蝋燭を立てた場合にも高い安定性を確保して不用意な転倒を確実に防止可能とする新たな技術を付与した燭台の開発はできないものかとの判断から、逸速くその開発、研究に着手し、長期に渡る試行錯誤と幾多の試作、実験とを繰り返してきた結果、今回、遂に新規な構造の三脚燭台を実現化することに成功したものであり、以下では、図面に示すこの考案を代表する実施例と共に、その構成を詳述することとする。                                                                        
【課題を解決するための手段】
【０００６】
（考案の構成）
図面に示すこの考案を代表する実施例からも明確に理解されるように、この考案の三脚燭台は、基本的に次のような構成から成り立っている。
即ち、円形または正多角形の肉厚平面板の全周縁に亘って所定同一高さの鉛直縁を一体に立ち上げ形成した所定外径Ｄの受け皿を有し、該受け皿重心周り１２０°（角度θ）毎の均衡する底面合計３個所から、互いに同一形状および同一寸法に設定した合計３本の支持脚を、遠心斜め下方に向けて延伸し、同受け皿外径Ｄを超えた同一仮想円周位置に達して接地するものとして、受け皿肉厚平面板上面を水平に、且つ鉛直縁上端までの全高ＡＨを、受け皿外径Ｄの０．４ないし０．７倍となる高さに保持するよう規制したものとして一体に形成した上、同受け皿肉厚平面板重心上に一致する上面位置に所定長の芯釘を鉛直状に立設、固定し、それら全体が比重７．０を超える金属製部品の組み合わせからなるものとした構成を要旨とする三脚燭台である。
【０００７】
この基本的な構成からなる三脚燭台を、より具体的なものとして示すと、円形または正多角形で厚さ５ないし１０ｍｍとした肉厚平面板の全周縁に亘って所定同一高さの鉛直縁を一体に立ち上げ形成し、外径寸法Ｄを７０ないし１３０ｍｍに設定した受け皿を有し、該受け皿重心周り１２０°（角度θ）毎の均衡する底面合計３個所から、互いに同一形状および同一寸法に設定した合計３本の支持脚を、遠心斜め下方に向けて延伸し、同受け皿外径Ｄより１５ないし３５ｍｍ外周がわとなる同一仮想円周位置に達して接地するものとして、受け皿肉厚平面板上面を水平に、且つ支持脚下端から鉛直縁上端までの全高ＡＨを、受け皿外径Ｄの０．４ないし０．７倍となる高さに保持するよう規制したものとして一体に形成した上、同受け皿肉厚平面板重心上に一致する上面中央に所定長の芯釘を鉛直状に立設、固定し、それら全体が比重７．０を超える金属製部品の組み合わせからなるものとした構成からなる三脚燭台となる。                                                                                  
【考案の効果】
【０００８】
以上のとおり、この考案の三脚燭台によれば、従前までは、受け皿の底面に支持脚を設けたものの場合、蝋燭を立てると、その重心位置が高くなり、僅かな振動や周囲移動物の接触などによって簡単に燭台諸とも横転してしまう虞があったが、円形または正多角形の肉厚平面板の全周縁に亘って所定同一高さの鉛直縁を一体に立ち上げ形成し、燭台全体の重心をその中央寄りの肉厚寸法内か、あるいはその近傍に確保可能とするよう所定外径Ｄに設定した受け皿を設け、該受け皿重心周り１２０°（角度θ）毎の均衡する底面合計３個所から、互いに同一形状および同一寸法に設定した合計３本の支持脚を、遠心斜め下方に向けて延伸し、同受け皿外径Ｄを超えた同一仮想円周位置に達して接地するものとして、受け皿肉厚平面板上面を水平に、且つ鉛直縁上端までの全高ＡＨを、受け皿外径Ｄの０．４ないし０．７倍となる高さに保持するよう規制したものとして一体に形成した上、同受け皿肉厚平面板重心上に一致する上面位置に所定長の芯釘を鉛直状に立設、固定し、それら全体が比重７．０を超える金属製部品の組み合わせからなるものとしたことにより、装着する蝋燭に比して充分に重く、低重心を確保可能として、蝋燭を立てた場合にあっても、秀れた安定性を確保することができ、弱い振動や周囲移動物の軽い接触程度では、容易に転倒することなく、高い安全性を確保することができるという秀れた特徴が得られるものである。
【０００９】
加えて、円形または正多角形で厚さ５ないし１０ｍｍとした肉厚平面板の全周縁に亘って所定同一高さの鉛直縁を一体に立ち上げ形成し、外径寸法Ｄを７０ないし１３０ｍｍに設定した受け皿を有し、該受け皿重心周り１２０°（角度θ）毎の均衡する底面合計３個所から、互いに同一形状および同一寸法に設定した合計３本の支持脚を、遠心斜め下方に向けて延伸し、同受け皿外径Ｄより１５ないし３５ｍｍ外周がわとなる同一仮想円周位置に達して接地するものとして、受け皿肉厚平面板上面を水平に、且つ支持脚下端から鉛直縁上端までの全高ＡＨを、受け皿外径Ｄの０．４ないし０．７倍となる高さに保持するよう規制したものとして一体に形成した上、同受け皿肉厚平面板重心上に一致する上面中央に所定長の芯釘を鉛直状に立設、固定し、それら全体が比重７．０を超える金属製部品の組み合わせからなる三脚燭台とすることにより、一般に利用される各種寸法、形状の様々な蝋燭の大きさや重量との外観バランスを確保することができ、しかも大小の神棚や仏壇などとも調和のとれたものとすることができ、実用性に秀れた燭台を提供できるという効果を発揮するものとなる。
【００１０】
そして、受け皿重心を中心とし、３本の支持脚の接地端を結ぶ円の直径ＬＤが、受け皿外径Ｄの１．２ないし２．０倍に設定されたものとして、受け皿外径Ｄが７０ｍｍに近いもの程ＬＤ／Ｄの比率を２．０に近づけ、受け皿外径Ｄが１３０ｍｍに近いもの程ＬＤ／Ｄの比率を１．２に近づけるよう設定してなるものでは、受け皿外径Ｄが小さく重心による安定が困難な燭台ほど、３本の支持脚の接地端の遠心がわへの張り出し量を大きくして各支持脚による安定を高めたものとし、受け皿外径Ｄが大きな燭台ほど、受け皿自体の重量および重心による安定を高めて各３本の支持脚の接地端の遠心がわへの張り出し量を少なくし、不要に大型化してしまうのを防止して狭い面積にも充分に安定した配置ができるという効果を得ることができる。                                                                          
【考案を実施するための最良の形態】
【００１１】
上記したとおりの構成からなるこの考案の実施に際し、その最良もしくは望ましい形態について説明を加えることにする。
受け皿は、直立状に装着する蝋燭用の芯釘を、その重心上に立設可能とすると共に、該芯釘の周囲に溶け落ちる蝋を受け止めるものとなり、しかも三脚燭台全体の重心を、その中央肉厚寸法内か、またはその近傍に配置するよう重量バランスを規制するという機能を果たすものであり、円形または正三角形、正四角形、正五角形、正六角形、正八角形などを含む正多角形の肉厚平面板の全周縁に亘って所定同一高さの鉛直縁を一体に立ち上げ形成し、所定外径Ｄに設定されたものとしなければならず、比重７．０を超える鉄、鋼、ステンレス、銅、真鍮、青銅、錫、亜鉛、金、銀など様々な金属製または合金製部品の組み合わせからなるものとすべきである。
【００１２】
肉厚平面板は、受け皿の底面を形成し、三脚燭台全体の重心を、その中央肉厚寸法内か、またはその近傍かの何れかに配置すると共に、その重心上に芯釘を立設可能とする機能を果たし、重心を安定させるに充分な厚さの平面円形または平面正多角形の平板材製部品としなければならず、その厚さは、取り扱い性や設置安定性を考慮して５ないし１０ｍｍの範囲とすべきであり、後述する実施例に示すように、外径寸法Ｄが７０ｍｍ前後と小さい場合には５ｍｍ程度、外径寸法Ｄが１３０ｍｍ前後と大きい場合には１０ｍｍ程度に設定したものとするのが望ましい。
【００１３】
鉛直縁は、肉厚平面板の全周縁に亘って熔けた蝋が受け皿から溢れ落ちるのを阻止すると共に、肉厚平面板が形成する重量バランスを崩さず、均衡を確保可能に維持する機能を果たすものであり、肉厚平面板より僅かに薄い肉厚であって肉厚平面板の全周縁に亘って所定同一高さに設定されたものとすべきであり、後述する実施例に示すように、外径寸法Ｄが７０ｍｍ前後と小さい場合には厚さ３ｍｍ、高さ１５ｍｍ程度、外径寸法Ｄが１３０ｍｍ前後と大きい場合には厚さ４ｍｍ、高さ２０ｍｍ程度に設定したものとし、肉厚平面板と同一の金属素材製とするのが望ましい。
【００１４】
支持脚は、それら合計３本によって受け皿重心を、安定な高さ位置に水平、且つ強固に支持可能とする機能を果たすものであり、受け皿重心周り１２０°（角度θ）毎の均衡する底面合計３個所から、互いに同一形状および同一寸法に設定した合計３本を、遠心斜め下方に向けて延伸し、同受け皿外径Ｄを超えた同一仮想円周位置に達して接地するものとして、受け皿肉厚平面板上面を水平に、且つ鉛直縁上端までの全高ＡＨを、受け皿外径Ｄの０．４ないし０．７倍となる高さに保持するよう規制したものとして一体に形成されたものとしなければならず、後述実施例に示すよう、受け皿重心を中心とし、３本の支持脚の接地端を結ぶ円の直径ＬＤが、受け皿外径Ｄの１．２ないし２．０倍に設定されたものとして、受け皿外径Ｄが７０ｍｍに近いもの程ＬＤ／Ｄの比率を２．０に近づけ、受け皿外径Ｄが１３０ｍｍに近いもの程ＬＤ／Ｄの比率を１．２に近づけるよう設定してなるものとすべきであり、ＬＤ／Ｄの比率がこの範囲を超えて短縮したものの場合には、僅かな振動や他物との接触などによって容易に転倒してしまい、また、この範囲を超えて延伸形成したものは、不要に大型化して設置面積を拡大してしまうという欠点を生じてしまうものとなる。さらに、後述する実施例に示すように、受け皿と同一の金属素材製の、板厚６ｍｍ前後の板材または直径６ｍｍ前後の棒材を裁断、または折曲加工したものを熔接、蝋付け、ネジ結合などにより、充分な強度で一体化したものとし、受け皿底面に一体化された状態で、上下方向の圧縮力に最も高い強度を発揮できる断面形状となるよう規制した姿勢に結合されたものとするのが望ましい。
【００１５】
芯釘は、蝋燭基端の穴に装着して同蝋燭の受け皿上面重心上に、直立姿勢を確実に維持するよう支持可能とすると共に、蝋燭の炎に曝されても熔損しない耐熱性を発揮可能とする機能を果たし、蝋燭を充分な強度をもって鉛直状に支持できる形状、および所定長に設定されたものとしなければならず、後述する実施例に示すように、受け皿の所定外径Ｄが７０ｍｍ前後と小さいものでは基部直径が４ｍｍ、受け皿上面から先端までの高さが２５ｍｍ程度、受け皿の所定外径Ｄが１３０ｍｍ前後と大きいものでは基部直径が６ｍｍ、受け皿上面から先端までの高さが３６ｍｍ程度に設定されたものとするのが望ましい。
以下では、図面に示すこの考案を代表する幾つかの実施例と共に、その構造について詳述することとする。                                                                                                  
【実施例１】
【００１６】
図１の縦断面化した中型の三脚燭台の正面図、図２の中型の三脚燭台の平面図、図３の縦断面化した中型の三脚燭台の側面図、図４の中型の三脚燭台の底面図、および、図５の中型の三脚燭台の側面図に示す事例は、円形または正多角形の肉厚平面板２１の全周縁に亘って所定同一高さの鉛直縁２２を一体に立ち上げ形成した所定外径Ｄの受け皿２を有し、該受け皿２重心周り１２０°（角度θ）毎の均衡する底面合計３個所から、互いに同一形状および同一寸法に設定した合計３本の支持脚３，３，３を、遠心斜め下方に向けて延伸し、同受け皿２外径Ｄを超えた同一仮想円周位置に達して接地するようにし、受け皿２肉厚平面板２１上面を水平で、且つ鉛直縁２２上端までの全高ＡＨを、受け皿外径Ｄの０．４ないし０．７倍となる高さに保持するよう規制したものとして一体に形成した上、同受け皿２肉厚平面板２１重心上に一致する上面位置に所定長の芯釘４を鉛直状に立設、固定し、それら全体が比重７．０を超える金属製部品の組み合わせからなるものとした、この考案の三脚燭台における代表的な一実施例を示すものである。
【００１７】
当該三脚燭台１は、肉厚６ｍｍ、所定直径の比重約７．８の円形鋼板製肉厚平面板２１の全周縁に亘って短尺有底円筒状をなすよう、厚さ４ｍｍ、高さ２０ｍｍの同じく鋼板製鉛直縁２２が熔接により、一体化された外径１０２ｍｍ（図３中の寸法Ｄ）の受け皿２を有し、図２中に示すように、該受け皿２重心周りの１２０°（角度θ）毎の均衡する底面合計３個所から、厚さ４ｍｍの鋼板製であって互いに同一形状および同一寸法に設定した合計３本の支持脚３，３，３を、夫々遠心斜め下方に向けて延伸し、同受け皿２外径１０２ｍｍ（図３中の寸法Ｄ）より、２２ｍｍ（図２中の寸法Ｌ）外側配置となる同一仮想円周位置（図２中に直径ＬＤで示す二点鎖線円弧）に達して接地するものとし、受け皿２肉厚平面板２１上面を水平で、且つ、図３中に示すよう、鉛直縁２２上端までの全高ＡＨを、受け皿外径Ｄの０．４ないし０．７倍の範囲内である０．５９倍に相当する高さ６０ｍｍに保持するよう規制し、熔接によって一体化するようにしている。
【００１８】
また、受け皿２重心を中心とし、３本の支持脚３，３，３の接地端を結ぶ円の直径１４６ｍｍ（図２中の寸法ＬＤ）が、受け皿２外径１０２ｍｍ（図３中の寸法Ｄ）の１．２ないし２．０倍の範囲内となる１．４３倍の関係とするよう設定したものとし、さらに、受け皿２肉厚平面板２１重心上に一致する上面位置に基部直径が６ｍｍ、長さ３４ｍｍの円錐型鋼線製芯釘４を鉛直状に立設する如く、熔接したものとしてある。                                          
【実施例２】
【００１９】
図６の縦断面化した小型三脚燭台の正面図、図７の小型三脚燭台の平面図、図８の縦断面化した小型三脚燭台の側面図、図９の小型三脚燭台の底面図、および、図１０の小型三脚燭台の側面図に示す事例は、前記実施例１に記載した三脚燭台１を小型化した、この考案の三脚燭台における他の実施例を示すものである。
【００２０】
当該三脚燭台１は、肉厚５．５ｍｍ、所定直径の比重約７．８の円形鋼板製肉厚平面板２１の全周縁に亘って、厚さ３ｍｍ、高さ１５ｍｍの同じく鋼板製鉛直縁２２を熔接、一体化した外径７６ｍｍ（図８中の寸法Ｄ）の受け皿２を設け、該受け皿２重心周りの１２０°（図７中の角度θ）毎の均衡する底面合計３個所から、直径６ｍｍの所定長さに切断した鋼線の接地がわとなる端部を環状に折曲し、互いに同一形状および同一寸法に加工した合計３本の支持脚３，３，３を、夫々遠心斜め下方に向けて延伸し、同受け皿２外径７６ｍｍ（図８中の寸法Ｄ）より、２５ｍｍ（図７中の寸法Ｌ）外周がわとなる同一仮想円周位置（図７中に直径ＬＤで示す二点鎖線円弧）に達して接地するようにし、受け皿２肉厚平面板２１上面を水平で、且つ、図８中に示すよう、鉛直縁２２上端までの全高ＡＨを、受け皿２の外径７６ｍｍ（図８中の寸法Ｄ）の０．４ないし０．７倍の範囲内である０．６６倍に相当する高さ５０ｍｍに保持するよう規制し、熔接によって一体化したものとしている。
【００２１】
そして、受け皿２重心を中心とし、３本の支持脚３，３，３の接地端を結ぶ円の直径１２６ｍｍ（図７中の寸法ＬＤ）が、受け皿２外径７６ｍｍ（図８中の寸法Ｄ）の１．２ないし２．０倍の範囲内となる１．６６倍の関係となるよう設定したものとしており、また、受け皿２肉厚平面板２１重心上に一致する上面位置に基部直径が４ｍｍ、長さ２５ｍｍの円錐型鋼線製芯釘４を鉛直姿勢に立設するよう熔接したものとしている。                                                    
【実施例３】
【００２２】
図１１の縦断面化した大型三脚燭台の正面図、図１２の大型三脚燭台の平面図、図１３の縦断面化した大型三脚燭台の側面図、図１４の大型三脚燭台の底面図、および、図１５の大型三脚燭台の側面図に示す事例は、前記実施例１に記載した三脚燭台１を大型化した、この考案の三脚燭台における代表的な他の実施例を示すものである。
【００２３】
当該三脚燭台１は、肉厚９ｍｍ、所定直径の比重約７．８の正六角形鋼板製肉厚平面板２１の全周縁に亘って、厚さ４ｍｍ、高さ２０ｍｍの同じく鋼板製鉛直縁２２を熔接、一体化した外径１２５ｍｍ（図１３中の寸法Ｄ）の受け皿２を設け、該受け皿２重心周りの１２０°（図１２中の角度θ）毎の均衡する底面合計３個所から、厚さ６ｍｍの鋼板製であって互いに同一形状、および同一寸法に設定した合計３本の支持脚３，３，３を、遠心斜め下方に向けて延伸し、同受け皿２外径１２５ｍｍ（図１３中の寸法Ｄ）より、１５ｍｍ（図１２中の寸法Ｌ）外周がわとなる同一仮想円周位置（図１２中に直径ＬＤで示す二点鎖線円弧）に達して接地するようにし、受け皿２肉厚平面板２１上面を水平に、且つ、図１３中に示すよう、鉛直縁２２上端までの全高ＡＨを、受け皿２の外径１２５ｍｍ（図１３中の寸法Ｄ）の０．４ないし０．７倍の範囲内である０．５０倍に相当する高さ６３ｍｍに保持するよう規制し、熔接によって一体化してある。
【００２４】
また、受け皿２重心を中心とし、３本の支持脚３，３，３の接地端を結ぶ円の直径１５５ｍｍ（図１２中の寸法ＬＤ）が、受け皿２外径１２５ｍｍ（図１３中の寸法Ｄ）の１．２ないし２．０倍の範囲内となる１．２４倍の関係となるよう設定しており、そして、受け皿２肉厚平面板２１重心上に一致する上面位置に基部直径が６ｍｍ、長さ３６ｍｍの円錐型鋼線製芯釘４を鉛直姿勢に立設するよう熔接している。
【００２５】
（実施例１の作用）
以上のとおりの構成からなるこの考案の三脚燭台１は、図１ないし図５中に示すように、肉厚６ｍｍ、所定直径の比重約７．８の円形鋼板製肉厚平面板２１の全周縁に亘って、厚さ４ｍｍ、高さ２０ｍｍの同じく鋼板製鉛直縁２２が熔接、一体化された外径１０２ｍｍ（図３中の寸法Ｄ）の受け皿２を設け、該受け皿２の中心線（図示せず）上に重心を集中させるものとなり、さらに、受け皿２重心周り１２０°（角度θ）毎の均衡する底面合計３個所から、合計３本の支持脚３，３，３を、遠心斜め下方に向けて延伸し、同受け皿２外径１０２ｍｍ（図３中の寸法Ｄ）より、２２ｍｍ（図２中の寸法Ｌ）外周がわとなる同一仮想円周位置（同図２中に直径ＬＤの二点鎖線円弧で示す）に達して接地するものとし、且つ、支持脚３，３，３下端から鉛直縁２２上端までの全高（図３中のＡＨ）を、受け皿２外径１０２ｍｍ（図３中の寸法Ｄ）の０．４ないし０．７倍の範囲内である０．５９倍に相当する６０ｍｍの高さに保持するよう規制したもとすることによって低重心による安定を確保したものとなり、このような寸法設定によって、高さ１００ないし２００ｍｍ前後の蝋燭５を立てるのに適するものとなる。
【００２６】
（実施例２の作用）
この考案の三脚燭台１は、図６ないし図１０中に示すように、肉厚５．５ｍｍ、所定直径の比重約７．８の円形鋼板製肉厚平面板２１の全周縁に亘って、厚さ３ｍｍ、高さ１５ｍｍの同じく鋼板製鉛直縁２２が熔接により、一体化された外径７６ｍｍ（図８中の寸法Ｄ）の受け皿２を設けていて、該受け皿２の中心線（図示せず）上に重心を集中させるものとなり、また、受け皿２重心周り１２０°（角度θ）毎の均衡する底面合計３個所から、合計３本の支持脚３，３，３を、遠心斜め下方に向けて延伸し、同受け皿２外径７６ｍｍ（図８中の寸法Ｄ）より、２５ｍｍ（図７中の寸法Ｌ）外周がわとなる同一仮想円周位置（同図７中に直径ＬＤの二点鎖線円弧で示す）に達して接地するようにし、各支持脚３，３，３を受け皿２外径７６ｍｍ（図８中の寸法Ｄ）より大きく張り出したものとして安定を高めるものとし、且つ、支持脚３，３，３下端から鉛直縁２２上端までの全高（図８中のＡＨ）を、受け皿２外径７６ｍｍ（図３中の寸法Ｄ）の０．４ないし０．７倍の範囲内である０．６６倍に相当する５０ｍｍの高さに保持するよう規制したものとして低重心による安定を確保しており、この寸法設定によって、高さ１００ｍｍ前後以下の蝋燭５を立てるのに適するものとなる。
【００２７】
（実施例３の作用）
この考案の三脚燭台１は、図１１ないし図１５中に示すように、肉厚９ｍｍ、所定直径の比重約７．８の円形鋼板製肉厚平面板２１の全周縁に亘って、厚さ４ｍｍ、高さ２０ｍｍの同じく鋼板製鉛直縁２２が熔接、一体化された外径１２５ｍｍ（図１３中の寸法Ｄ）の受け皿２を設けていて、該受け皿２の中心線上に重心を集中させるものとなり、そして、受け皿２重心周り１２０°（角度θ）毎の均衡する底面合計３個所から、合計３本の支持脚３，３，３を、遠心斜め下方に向けて延伸し、同受け皿２外径１２５ｍｍ（図１３中の寸法Ｄ）より、１５ｍｍ（図１２中の寸法Ｌ）外周がわとなる同一仮想円周位置（同図１２中に直径ＬＤの二点鎖線円弧で示す）に達して接地するようにし、且つ、支持脚３，３，３下端から鉛直縁２２上端までの全高（図１３中のＡＨ）を、受け皿２外径１２５ｍｍ（図１３中の寸法Ｄ）の０．４ないし０．７倍の範囲内である０．５０倍に相当する６３ｍｍの高さに保持するよう規制したもとすることによって低重心による安定が確保され、高さ２００ないし３００ｍｍ前後の蝋燭５を立てるのに適するものとなる。
【００２８】
（実施例１の効果）
以上のような構成からなる実施例１の三脚燭台１は、前記この考案の効果の項で記載の特徴に加え、図１ないし図５中に示すよう、受け皿２の重心周り１２０°（角度θ）毎の均衡する底面合計３個所から、遠心斜め下方に向けて延伸、形成した３本の支持脚３，３，３によって載置面との間に僅かなガタつきも生ずることなく、低重心且つ安定に載置することができ、しかも、図１中に示すように、芯釘４に蝋燭５を立てた場合に、蝋燭５の重心が三脚燭台１全体の重心に上に一致することとなり、秀れた安定性を得ることができ、図１中に示すよう、高さ１００ないし２００ｍｍ前後の蝋燭５を安全に支持することができるという特徴が得られる。
【００２９】
（実施例２の効果）
実施例２の三脚燭台１は、図７および図８中に示したように、合計３本の各支持脚３，３，３を、受け皿２の外径Ｄ７６ｍｍより、２５ｍｍ（図７中の寸法Ｌ）外周がわへ張り出して接地するようにし、直径が小さく軽量となってしまう受け皿２を均衡、且つ安定させることができ、図６中に示すよう、高さ１００ｍｍ前後以下の蝋燭５を安全に支持することができるという利点がある。
【００３０】
（実施例３の効果）
実施例３の三脚燭台１は、図１２および図１４に示したように、合計３本の支持脚３，３，３の夫々を、平面形状正六角形に形成した受け皿２の、重心周りの１２０°（図１２中の角度θ）毎であって、しかも正六角形の一角置き毎の配置となる角部分に一致するよう配置する如く、遠心斜め下方に向けて延伸、形成されたものとし、外の位置に各支持脚３，３，３を配した場合に比較して格段の安定を確保することができるものとなり、さらに、図１２および図１３中に示すよう、各支持脚３，３，３の、受け皿２外径１２５ｍｍ（図１３中の寸法Ｄ）から外周がわへの張り出し量（図１２中の寸法Ｌ）を１５ｍｍに抑えて、高い安定感を得ると共に不要な大型化を防止して巧緻なバランスを得ることができ、高さ２００ないし３００ｍｍ前後の蝋燭５を安全に支持できる効果を奏するものとなっている。
【００３１】
（結  び）
叙述の如く、この考案の三脚燭台は、その新規な構成によって所期の目的を遍く達成可能とするものであり、しかも製造も容易で、従前からの燭台に比較して構造が簡潔で低廉にて提供可能であり、遥かに経済的なものとすることができると共に、秀れた美観を呈する上、各種の蝋燭を安全に支持することができることから、その取り扱いには比較的慣れた各種宗教施設の管理者、および宗教家など神具・仏具業界や墓石業界などにおいては勿論のこと、燭台を取り扱う機会が少なくなってその取り扱いに不慣れな現代人で蝋燭支持の安定性に何らの不安を抱くことなく取り扱うことも想定される人々にとっても、極めて安定した燭台として機能することになって高く評価され、広範に渡って利用、普及していくものになると予想される。                                                                                  
【図面の簡単な説明】
【００３２】
図面は、この考案の三脚燭台の技術的思想を具現化した代表的な幾つかの実施例を示すものである。
【図１】断面化した三脚燭台を示す正面図である。
【図２】三脚燭台を示す平面図である。
【図３】断面化した三脚燭台を示す側面図である。
【図４】三脚燭台を示す底面図である。
【図５】三脚燭台を示す側面図である。
【図６】断面化した小型の三脚燭台を示す正面図である。
【図７】小型の三脚燭台を示す平面図である。
【図８】断面化した小型の三脚燭台を示す側面図である。
【図９】小型の三脚燭台を示す底面図である。
【図１０】小型の三脚燭台を示す側面図である。
【図１１】断面化した大型の三脚燭台を示す正面図である。
【図１２】大型の三脚燭台を示す平面図である。
【図１３】断面化した大型の三脚燭台を示す側面図である。
【図１４】大型の三脚燭台を示す底面図である。
【図１５】大型の三脚燭台を示す側面図である。
【符号の説明】
【００３３】
１      三脚燭台
２      受け皿
２１    同  肉厚平面板
２２    同  鉛直縁
３      支持脚
θ    同  重心周り角度（１２０°）
４      芯釘
５      蝋燭                                                                                                        
【図１】
0003137909.tif 000003
【図２】
0003137909.tif 000004
【図３】
0003137909.tif 000005
【図４】
0003137909.tif 000006
【図５】
0003137909.tif 000007
【図６】
0003137909.tif 000008
【図７】
0003137909.tif 000009
【図８】
0003137909.tif 000010
【図９】
0003137909.tif 000011
【図１０】
0003137909.tif 000012
【図１１】
0003137909.tif 000013
【図１２】
0003137909.tif 000014
【図１３】
0003137909.tif 000015
【図１４】
0003137909.tif 000016
【図１５】
0003137909.tif 000017